(57)【要約】【課題】プリント又はカッティングすべき複数のブロックからなる印字データ又はカットデータの長さがシートの残存長さ量を越えた場合に、残っているシートの長さの範囲で可能な所定範囲のデータを印字若しくはカッティングさせる。【解決手段】シート駆動手段１２で移動されるシート１５の終端を検出するシートセンサ１０の検出出力を制御部６に入力させ、制御部６によってシート１５が送られた量とプリント出力できたブロックの数を記憶させ、プリント処理中にシートセンサ１５がシートの端部を検出したときに、送られた量だけシート１５を引き戻すようにシート駆動手段１２を駆動し、次にシート駆動手段１２とカッティング手段１２とを駆動して印字出力できたブロックの数だけのカッティング処理を行わせる。【選択図】      図１
2004249465.tif 000002
【特許請求の範囲】
【請求項１】
長尺のシートをシートの長手方向に沿って移動させるシート駆動手段と、前記シートの表面に画像をプリントするようにシートの移動方向と直交する方向に沿って形成された印字手段と、前記シートの移動方向と直行する方向に移動して前記シートを切断するカッティング手段及び、前記シート駆動手段と印字手段及びカッティング手段とを制御する制御部とを備え、前記シート駆動手段と印字手段とを制御部によって駆動させてシートに画像を形成する印字動作をした後に、シート駆動手段とカッティング手段とを制御部によって駆動してシートに形成された画像を切断するカッティング動作を行うようにした印字及びカッティング装置であって、
シート駆動手段で移動されるシートの終端を検出するシートセンサを設けて該シートセンサの検出出力を前記制御部に入力させるとともに、前記制御部によってシートが送られた量と印字出力できたデータの数を記憶させ、画像プリントの処理中にシートセンサがシートの端部を検出したときに、前記制御部が送られた量だけシートを引き戻すようにシート駆動手段を駆動し、次にシート駆動手段とカッティング手段とを駆動して印字出力できたデータの数だけのカッティング動作を行わせるようにしたことを特徴とする印字及びカッティング装置。
【請求項２】
長尺のシートをシート駆動手段によってシートの長手方向に沿って移動させるとともに、前記シートを切断するカッティング手段を前記シートの移動方向と直行する方向に移動させるように、前記シート駆動手段とカッティング手段と制御部によって制御することにより、所定の入力データに基づいて、前記シート駆動手段およびカッティング手段を動作させてシートを切断を行うカッティング装置であって、
シート駆動手段で移動されるシートの終端を検出するシートセンサを設けて該シートセンサの検出出力を前記制御部に入力させるとともに、更に、前記制御部が、前記入力データに基づいて切断動作に必要なシートの長さを演算するとともに、その演算結果に基づいて前記シート駆動手段によってシートを送り駆動して必要な長さのシートが載置されているかを判断する演算処理部とを備え、入力データ長がシート長より大きい場合、シート長さに収まる入力データのうちの先頭データから所定データまでの範囲にて、シートの切断動作を行わせるようにしたことを特徴とするカッティング装置。
【請求項３】
長尺のシートをシート駆動手段によってシートの長手方向に沿って移動させるとともに、前記シートの表面に画像を形成する印字手段をシートの移動方向と直交する方向に沿って設け、前記シート駆動手段と印字手段を制御部によって制御することにより、所定の入力データに基づいて、前記シート駆動手段および印字手段を動作させてシートの表面に画像を形成する印字装置であって、
シート駆動手段で移動されるシートの終端を検出するシートセンサを設けて該シートセンサの検出出力を前記制御部に入力させるとともに、更に、前記制御部が、前記入力データに基づいて切断動作に必要なシートの長さを演算するとともに、その演算結果に基づいて前記シート駆動手段によってシートを送り駆動して必要な長さのシートが載置されているかを判断する演算処理部とを備え、入力データ長がシート長より大きい場合、シート長さに収まる入力データのうちの先頭データから所定データまでの範囲にて、シートへの印字動作を行わせるようにしたことを特徴とする印字装置。
【発明の詳細な説明】
【０００１】
【発明の属する技術分野】
本発明は、長尺のシートへサーマルヘッド等によって文字や記号等の図形をプリントするとともに、該プリントされた図形の外郭に沿ってシートを切断する印字及びカッティング装置に関する。
【０００２】
【従来の技術】
従来よりロール状に巻かれた長尺のシートに貼着されているビニールシートの表面に熱転写等によって文字や図形等を印字する印字手段と、該印字手段によって印字された文字や図形の外郭に沿ってビニールシートを切断するカッティング手段を備えた印字及びカッティング装置が知られている。上記装置によって、印字された文字や図形の輪郭に沿って又は文字や図形を囲む矩形等の形状に切断されたビニールシートを、長尺シート４から剥離してビニールシート５の裏面側に形成されている粘着材によって広告物等に貼り付けて使用するものである。このような装置においては、専用の入力機器やパソコン等を使用して作成した文字や図形等の画像データに基づいて、長尺のシートに印字とカッティングがされるようにされており、印字又はカッティングの途中でシートが足りなくなりプリント又はカッティングが途中で中断されてしまい、シートを無駄にしてしまうことがある。
【０００３】
従来より、入力された文字や図形等の画像データに基づいて、長尺のシートを切断するカッティング装置で、切断すべきシート長さが足りず入力データにより切断動作をしている途中でシートが無くなってしまうことを防止するようにした長尺のシートを切断するカッティング装置が知られている。このカッティング装置によれば、切断動作に先立って、専用の入力機器やパソコン等から入力された文字又は図形等のデータの長さを演算して算出し、この演算して得たデータの長さ分長尺のシートを先送り作動させてシートが足りるか否かを判別し、シートの残量が入力データの長さ分に満たない場合は切断動作を行わないようにしている（例えば、特許文献１参照）。
【０００４】
【特許文献１】
特開２００２−３０１６９０号公報
【０００５】
【発明が解決しようとする課題】
上記従来技術によれば、入力されたデータの長さに対して装置に残っているシートの長さが足りない場合には、切断動作を開始させないようにし、装置に残っているシートロールを新たなシートロールに交換し切断作業を再開するか、または入力機器やパソコン等によって残っているシートの長さに見合った文字又は図形等のデータを再入力して切断処理を行わなければならず、交換したシートが無駄になったり、データの再作成等の時間を要していた。本発明は、上記従来技術での問題点を解消して、プリント又はカッティングすべき複数のブロックからなる印字データ又はカットデータの長さがシートの残存長さ量を越えた場合に、印字若しくはカッティングすべきデータの内、残っているシートの長さに印字若しくはカッティングが可能な所定範囲のデータを印字若しくはカッティングさせるようにした印字及びカッティング装置を提供することを課題とする。
【０００６】
【課題を解決ための手段】
上記課題を解決ため本発明の印字及びカッティング装置は、長尺のシートをシートの長手方向に沿って移動させるシート駆動手段と、前記シートの表面に画像をプリントするようにシートの移動方向と直交する方向に沿って形成された印字手段と、前記シートの移動方向と直行する方向に移動して前記シートを切断するカッティング手段及び、前記シート駆動手段と印字手段及びカッティング手段とを制御する制御部とを備え、前記シート駆動手段と印字手段とを制御部によって駆動させてシートに画像を形成する印字動作をした後に、シート駆動手段とカッティング手段とを制御部によって駆動してシートに形成された画像を切断するカッティング動作を行うようにした印字及びカッティング装置であって、シート駆動手段で移動されるシートの終端を検出するシートセンサを設けて該シートセンサの検出出力を前記制御部に入力させるとともに、前記制御部によってシートが送られた量と印字出力できたデータの数を記憶させ、画像プリントの処理中にシートセンサがシートの端部を検出したときに、前記制御部が送られた量だけシートを引き戻すようにシート駆動手段を駆動し、次にシート駆動手段とカッティング手段とを駆動して印字出力できたデータの数だけのカッティング動作を行わせるようにしたことを特徴とする。
【０００７】
請求項２のカッティング装置は、長尺のシートをシート駆動手段によってシートの長手方向に沿って移動させるとともに、前記シートを切断するカッティング手段を前記シートの移動方向と直行する方向に移動させるように、前記シート駆動手段とカッティング手段と制御部によって制御することにより、所定の入力データに基づいて、前記シート駆動手段およびカッティング手段を動作させてシートを切断を行うカッティング装置であって、シート駆動手段で移動されるシートの終端を検出するシートセンサを設けて該シートセンサの検出出力を前記制御部に入力させるとともに、更に、前記制御部が、前記入力データに基づいて切断動作に必要なシートの長さを演算するとともに、その演算結果に基づいて前記シート駆動手段によってシートを送り駆動して必要な長さのシートが載置されているかを判断する演算処理部とを備え、入力データ長がシート長より大きい場合、シート長さに収まる入力データのうちの先頭データから所定データまでの範囲にて、シートの切断動作を行わせるようにしたことを特徴とする。
【０００８】
請求項３の印字装置は、長尺のシートをシート駆動手段によってシートの長手方向に沿って移動させるとともに、前記シートの表面に画像を形成する印字手段をシートの移動方向と直交する方向に沿って設け、前記シート駆動手段と印字手段を制御部によって制御することにより、所定の入力データに基づいて、前記シート駆動手段および印字手段を動作させてシートの表面に画像を形成する印字装置であって、シート駆動手段で移動されるシートの終端を検出するシートセンサを設けて該シートセンサの検出出力を前記制御部に入力させるとともに、更に、前記制御部が、前記入力データに基づいて切断動作に必要なシートの長さを演算するとともに、その演算結果に基づいて前記シート駆動手段によってシートを送り駆動して必要な長さのシートが載置されているかを判断する演算処理部とを備え、入力データ長がシート長より大きい場合、シート長さに収まる入力データのうちの先頭データから所定データまでの範囲にて、シートへの印字動作を行わせるようにしたことを特徴とする。
【０００９】
【発明の実施の形態】
以下、図に示す実施例に基づいて本発明の実施の形態を説明する。図１は本発明の印字及びカッティング装置１の基本構成を示すブロック図である。印字及びカッティング装置１はＣＰＵ２とＲＡＭ３及びＲＯＭ４により構成されている演算処理部５が搭載されている制御部６によってＲＯＭ４に記憶された所定のプログラムに基づいて印字及びカッティング装置１を駆動制御するようにされている。制御部６にはデータバッファ７とインターフェース８が設けられており専用の入力機器やパソコン等によって構成される入力機器９が前記インターフェース８を介してＣＰＵ２と接続され、入力機器９によって作成した印字及び切断すべき文字及び図形等の印字データ及びカットデータがデータバッファを介して演算処理部５へ入力される。
【００１０】
データバッファ７は前記インターフェース８を介して入力機器から入力された印字データ及びカットデータを記憶し、演算処理部５へ順次供給するようにしている。上記演算処理部５ではデータバッファ７に蓄積された印字データ及びカットデータを演算処理して、印字又はカットに必要なシートの長さを算出する。更に、前記演算処理部５にはシートの搬送路上に設けられてシートの終端を検出して検出信号を出力するシートセンサ１０が接続されている。
【００１１】
上記演算処理部５には、シートに文字又は図形等の画像を形成するための印字手段を構成している印字ヘッド１１と、シートを供給方向又は戻し方向に移動させるためのシート駆動手段を構成しているパルスモータ１２と、カッティング手段１３を構成しているシートを切断するためのカッティングヘッドをシートの送り方向と直交する方向に移動させるためのパルスモータ１４ａ及び前記カッティングヘッドをシート面に対して上下方向に作動させるソレノイド１４ｂがそれぞれ駆動用のドライバを介して接続されている。
【００１２】
前記制御部６では、印字手段の印字ヘッド１１とシート駆動手段のパルスモータ１２を駆動して入力機器９により入力された印字データに基づいてシートに画像を形成するプリント作動を行わせ、また、シート駆動手段のパルスモータ１２とカッティング手段のパルスモータ１４ａ及びソレノイド１４ｂを駆動して入力機器９により入力されたカットデータに基づいて画像の輪郭に沿って又は画像を囲む矩形状等にシートを切断するカッティング作動を行わせる。更に、制御部６は複数ブロックのプリント及びカッティング処理時又は、同一画像を複数枚コピープリント及びカッティングするプリント・カッティングの処理時時に、シート駆動手段のパルスモータ１２によって送られたシートの送り量と、プリント又はカッティングの処理が完了したブロック数を逐次記憶するようにしている。
【００１３】
更に前記制御部６では、指定のブロック数又はコピー枚数のプリント及びカッティング処理を行う場合に、プリント作動中にシートセンサ１０からのシートの終端検出信号が入力されることによって、シート駆動手段のパルスモータ１２と印字ヘッド１１によるプリント作動を中断させるとともに、ロール状のシートを初期位置に戻した後、画像のプリント処理が完了したブロック数又はコピー枚数を指定枚数又はコピー枚数として、シート駆動手段のパルスモータ１２と、カッティング手段のパルスモータ１４ａとソレノイド１４ｂを駆動してカッティング作動を開始させるように制御する。
【００１４】
次に本願発明に係る印字及びカッティング装置１により、同一の画像をプリント形成してこの画像の外郭をカッティングしたシートを所定枚数コピーにより作成する際の動作を図２に示すフローチャート及び図３及び図４に基づいて説明する。入力機器９により作成された文字・図形等の画像の印字データとカットデータがデータバッファ７に蓄積され、プリント作動を開始させると、図２に示すステップ１によりシート駆動手段のパルスモータ１２と印字手段の印字ヘッド１１を駆動してシート１５に画像をプリント印字させる。シート１５に図３に示す最初の画像Ｇ１がプリントされるとステップＳ２によってプリント完了枚数とこの時点までのシート１５が移動された量を記憶する。前記プリント動作中にステップＳ３によりシートセンサ１０がシート１５の終端を検出し続けており、シートセンサ１５によるシートの終端が検出されない場合には、ステップＳ４によってプリント枚数が所定枚数に達したかを判断してプリント枚数が所定枚数に至っていない時には、ステップＳ１に戻って次の図形Ｇ２のプリント処理を開始させる。
【００１５】
上記のようにステップＳ１からステップＳ４までの繰り返しによって画像のプリント動作が行われて、画像Ｇ１から画像Ｇ３がシート１５にプリントされ、画像Ｇ４のプリント動作中にシートセンサ１０がシート１５の終端を検出して検出出力が制御部６に入力されると、ステップＳ３によってシート１５の残余がないことが判断され図３に示すように画像Ｇ４のプリントが未完のままプリント動作が中断されるとともに、ステップＳ５により、シート１５の戻し量を中断した時点のシート移動量とし、カット指定枚数をプリント処理が完了した枚数としてシート１５のカッティング処理を行うためステップＳ６から処理を再開させる。
【００１６】
ステップＳ６では今までのプリント動作中に送られたシート１５をシート１５の移動量だけ戻し、カッティング作動の開始位置をシート１５に印字を開始した位置にセットする。その後ステップＳ７で制御部６がシート駆動手段のパルスモータ１２とカッティング手段のパルスモータ１４ａ及びソレノイド１４ｂを駆動して、図４に示すように画像Ｇ１を囲むカットデータＣ１をカッティング動作させる。図４に示す印字データＧ１のカッティングが終了するとステップＳ８によってカット完了枚数が指定枚数に達したかを判断してカット完了枚数が指定枚数に至っていない場合には、ステップＧ７に戻って画像Ｇ２のカッティング作動を行う。このようにしてプリント完了した最後の画像Ｇ３のカットデータＣ３がカット完了するとプリント及びカッティングの終了となる。
【００１７】
図５は、複数のブロックＢ１乃至Ｂ４からなる画像をシート１５上にプリント又は画像の輪郭に沿ってカッティングする場合であり、この処理では、演算処理部５により入力機器９から入力されてデータバッファ７に蓄積された印字データ又はカットデータに基づいて、全てのデータをシートに展開したときの長さＬ１を演算して算出し、その後制御部６によりシート駆動手段のパルスモータ１２を駆動してシート１５を前記算出した長さＬ１分シート１５を送り作動させる。このシート送り作動の間シートセンサ１０によってシートの終端が検出されない場合には前記所定のブロック数分のプリント又はカッティング作動を行う。
【００１８】
上記シート送り動作中にシートセンサ１０がシート１５の終端を検出すると、このときのシート送り長さＬに対してこれより小さいデータ長Ｌ２のブロック数までのプリント又はカッティングの処理を行い、所定データまでの範囲で切断が可能な枚数の成果物を得ることができる。
【００１９】
【発明の効果】
以上説明したように、本願発明に係る印字及びカッティング装置では、従来のカッティング装置が残っているシートの長さに対しそれよりも長いデータ長のカットデータを出力しようとした場合には切断動作を停止し、シートロールを交換して新たなシートロールにより切断作業を再開するか、または残量シートに見合ったデータを再度作成入力して切断処理を行っていたが、本願では複数枚のコピーや複数ブロックのプリント及びカッティング処理をおこなう場合には、プリント動作中にシートの終端を検出することによって、プリント処理が完了した分のコピー数又はブロック数にカッティング処理を行うようにして、残存しているシートの長さの範囲で可能な数のブロック数の成果物を得ることができる。
【００２０】
また、演算処理部によって入力されたデータに基づいて総データ長Ｌ１を算出させて、シートをデータ長分送り作動させるとともにシートの終端をシートセンサによって検出して、シートの長さＬがデータ長Ｌ１に足りない場合には、残量シートの長さＬの範囲でプリント又はカッティングできるブロック数のデータ長さＬ２の範囲でプリント又はカッティングの処理を行わせるようにしているので、残存しているシートを無駄なく使用することができ、また、データの再入力等の作業を行うことがなく、従来と比較してプリント又はカッティング作業の効率を大幅に向上できる。
【図面の簡単な説明】
【図１】本発明の印字及びカッティング装置の基本構成を示すブロック図
【図２】印字及びカッティング装置による同一画像のプリントとカットとを複数枚コピー処理を行う場合の処理のフローチャート図
【図３】図２のコピー処理でのシートへの画像のプリント動作が完了した状態を示す説明図
【図４】図２で画像がプリントされた画像のカッティング作動が完了した状態を示す説明図
【図５】複数のブロックからなる画像データをプリント又はカッティング処理する状態を示す説明図
【符号の説明】
１  印字及びカッティング装置
５  演算処理部
６  制御部
７  データバッファ
９  入力機器
１０  シートセンサ
１１  印字ヘッド（印字手段）
１２  パルスモータ（シート駆動手段）
１３  カッティング手段
１４ａ  パルスモータ
１４ｂ  ソレノイド
１５  シート
Ｇ１〜Ｇ４  印字データ
Ｃ１〜Ｃ４  カットデータ
Ｂ１〜Ｂ４  データブロック
【図１】
2004249465.tif 000003
【図２】
2004249465.tif 000004
【図３】
2004249465.tif 000005
【図４】
2004249465.tif 000006
【図５】
2004249465.tif 000007